(57)【要約】【課題】  送信装置において、所望の送信アナログ出力に最適化されたデジタル信号生成部に対して、その出力振幅が変更されたデジタル信号生成部が接続された場合、所望の送信アナログ出力になるまでの時間を短縮できるようにする。【解決手段】  送信すべきデジタル信号Ｓ１をアナログ変換して増幅しつつ送信するよう構成され、ＡＬＣ制御機能によりデジタル信号の振幅値が所望の送信アナログ出力に最適化されてなる送信装置において、デジタル信号生成部１が変更されてデジタル信号の振幅値Ｓ１が変更された場合に、先ず、演算部２で、デジタル信号の振幅値の変更前後の差分を変更後の振幅値に加算して粗調整を行う。次に、この加算後のデジタル信号Ｓ２に対して、比較制御部１８、利得補正部３により、ＡＬＣ制御を行って微調整をなす。こうすることにより、ＡＬＣ制御の時間が短くなる。【選択図】      図１
2008187550.tif 000002
【特許請求の範囲】
【請求項１】
送信すべきデジタル信号をアナログ変換して増幅しつつ送信するよう構成され、自動レベル制御機能により前記デジタル信号の振幅値が所望の送信アナログ出力に最適化されてなる送信装置におけるレベル制御装置であって、
前記デジタル信号の振幅値が変更された場合に、前記デジタル信号の振幅値の変更前後の差分を、前記変更後の振幅値に加減算する補正手段と、
この加減算後のデジタル信号に対して、前記自動レベル制御をなす自動レベル制御手段と、
を含むことを特徴とするレベル制御装置。
【請求項２】
前記自動レベル制御手段は、前記送信アナログ出力のレベルに応じた帰還デジタル信号と、前記加算手段の出力とを比較して前記送信アナログ出力のレベルが所定値になるよう、前記加算後のデジタル信号の自動レベル制御をなすことを特徴とする請求項１記載のレベル制御装置。
【請求項３】
請求項１または２記載のレベル制御装置を含むことを特徴とする送信装置。
【請求項４】
送信すべきデジタル信号をアナログ変換して増幅しつつ送信するよう構成され、自動レベル制御機能により前記デジタル信号の振幅値が所望の送信アナログ出力に最適化されてなる送信装置におけるレベル制御方法であって、
前記デジタル信号の振幅値が変更された場合に、前記デジタル信号の振幅値の変更前後の差分を、前記変更後の振幅値に加減算する加減算ステップと、
この加減算後のデジタル信号に対して、前記自動レベル制御をなす自動レベル制御ステップと、
を含むことを特徴とするレベル制御方法。
【請求項５】
前記自動レベル制御ステップは、前記送信アナログ出力のレベルに応じた帰還デジタル信号と、前記加減算ステップによる出力とを比較して前記送信アナログ出力のレベルが所定値になるよう、前記加算後のデジタル信号の自動レベル制御をなすことを特徴とする請求項４記載のレベル制御方法。
【発明の詳細な説明】
【技術分野】
【０００１】
本発明はレベル制御装置及びその方法並びにそれを用いた送信装置に関し、特に送信すべきデジタル信号をアナログ変換して送信する送信装置におけるレベル制御方式に関するものである。
【背景技術】
【０００２】
従来のレベル制御機能を有する送信装置における送信出力補正方式の利得制御について、図４のブロック図を参照して説明する。従来の送信装置は、送信すべきデジタル信号Ｓ１を生成するデジタル信号生成部１と、このデジタル信号Ｓ１が入力されるデジタルアナログ（Ｄ／Ａ）変換部４と、このＤ／Ａ変換部４によるアナログ信号が入力された送信増幅部５と、送信アナログ信号を電圧に変換する検波部１４と、帰還アナログ信号Ｓ３を帰還デジタル信号Ｓ８に変換し比較制御部１８に入力するアナログデジタル（Ａ／Ｄ）変換部１６と、送信デジタル信号Ｓ１と帰還デジタル信号Ｓ８とを比較制御する比較制御部１８と、この比較結果である送信制御情報Ｓ６をアナログ変換して、送信増幅部５の可変減衰器８の減衰量制御をなすＤ／Ａ変換部１７とを含んでいる。
【０００３】
送信増幅部５は、Ｄ／Ａ変換部４によるアナログ信号が入力された周波数変換部６と、この周波数変換出力を入力とする帯域通過フィルタ（ＢＰＦ）７と、このＢＰＦ出力を入力とする可変減衰器８と、可変減衰出力である送信アナログ信号を増幅する増幅部９と、増幅した送信アナログ信号を帰還アナログ信号Ｓ３とアンテナ供給信号とに分配する分配部１０とを有している。
【０００４】
かかる構成において、送信デジタル信号Ｓ１と帰還デジタル信号Ｓ８とを比較制御部１８にて比較し、この比較結果に応じて可変減衰器８の減衰量を制御することにより、予め設定された送信アナログ信号レベルとなるようにＡＬＣ制御（Auto Level Control）がなされるようになっている。
【０００５】
このように、送信装置には、一般に、送信アナログ出力が一定になるようにＡＬＣ制御機能を有している。このＡＬＣ制御機能は、デジタル信号生成部１の出力である送信デジタル信号Ｓ１の振幅値から、送信増幅装部５の送信アナログ出力までの利得の関係が一定に決まるように、最適化するようになっている。
【０００６】
関連する従来例として、特許文献１〜３がある。
【特許文献１】特開２０００−１８３８５１号公報
【特許文献２】特開２００２−０９４３９４号公報
【特許文献３】特開平９−０２７７２３号公報
【発明の開示】
【発明が解決しようとする課題】
【０００７】
図４に示した従来技術においては、所望の送信アナログ出力に最適化されたデジタル信号生成部１に対して、このデジタル信号生成部の振幅に変更があった場合、例えば、デジタル信号生成部の仕様が変更になって、送信デジタル信号Ｓ１の振幅値が小さくなった場合には、ＡＬＣにより送信増幅部５で送信デジタル信号の振幅の差分の利得制御を行うことになる。
【０００８】
但し、ＡＬＣ機能として、利得の差分に係数をかけて、段階的に利得の制御を行うような場合には、この差分が大きくなるほど、図５に示すように、所望の送信アナログ出力に到達するまで時間ｔが必要になるという問題がある。図５では、ＡＬＣ制御量をβとして示しており、８段階の制御を行っている場合を示している。
【０００９】
なお、利得制御を段階的に行うのは、歪成分の劣化を防ぐためである。すなわち、本装置では、ＡＬＣ制御の他に歪補償制御を行っており、その理由は、信号を増幅しつつ送信する構成では歪が発生するので、それをキャンセルする必要があるからである。このとき、増幅部への入力信号が急激に変化すると、歪補償以上の歪が発生して送信特性がある期間劣化するので、段階的に利得制御を行うのである。
【００１０】
また、図４の従来技術では、ＡＬＣ機能を、送信増幅部５の可変減衰器８及びＤ／Ａ変換部１７を用いて、アナログ信号部分により実現しているので、アナログ部品が増大し、よって調整が繁雑であるという欠点がある。
【００１１】
なお、特許文献１〜３に開示の技術は、いずれも、デジタル信号生成部に仕様変更があって、所望の送信アナログ出力に最適化されたデジタル信号生成部１に対して、このデジタル信号生成部の振幅に変更があった場合については、全く考慮されていない。
【００１２】
本発明の目的は、所望の送信アナログ出力に最適化されたデジタル信号生成部に対して、その出力振幅が変更されたデジタル信号生成部が接続された場合、所望の送信アナログ出力になるまでの時間を短縮できるようにすると共に、アナログ部品を削減できるようにしたレベル制御装置及びその方法並びにそれを用いた送信装置を提供することである。
【課題を解決するための手段】
【００１３】
本発明によるレベル制御装置は、送信すべきデジタル信号をアナログ変換して増幅しつつ送信するよう構成され、自動レベル制御機能により前記デジタル信号の振幅値が所望の送信アナログ出力に最適化されてなる送信装置におけるレベル制御装置であって、前記デジタル信号の振幅値が変更された場合に、前記デジタル信号の振幅値の変更前後の差分を、前記変更後の振幅値に加減算する加減算手段と、この加減算後のデジタル信号に対して、前記自動レベル制御をなす自動レベル制御手段とを含むことを特徴とする。
【００１４】
本発明による送信装置は、上記のレベル制御装置を用いたことを特徴とする。
【００１５】
本発明によるレベル制御方法は、送信すべきデジタル信号をアナログ変換して増幅しつつ送信するよう構成され、自動レベル制御機能により前記デジタル信号の振幅値が所望の送信アナログ出力に最適化されてなる送信装置におけるレベル制御方法であって、前記デジタル信号の振幅値が変更された場合に、前記デジタル信号の振幅値の変更前後の差分を、前記変更後の振幅値に加減算する加減算ステップと、この加減算後のデジタル信号に対して、前記自動レベル制御をなす自動レベル制御ステップとを含むことを特徴とする。
【発明の効果】
【００１６】
本発明によれば、所望の送信アナログ出力に最適化されたデジタル信号生成部に対して、その出力振幅が変更されたデジタル信号生成部が接続された場合にも、送信デジタル信号を補正することにより、ＡＬＣ機能によって所望の送信アナログ出力になるまでの時間を短縮できるという効果がある。また、ＡＬＣ機能をデジタル信号にて実現することにより、アナログ部品を削減できるという効果もある。
【発明を実施するための最良の形態】
【００１７】
以下に、図面を参照しつつ本発明の実施例について説明する。図１は本発明の実施例のブロック図であり、図４と同等部分は同一符号により示している。本発明の実施例は、送信デジタル信号Ｓ１を出力するデジタル信号生成部１と、送信デジタル信号Ｓ１が入力される演算部２と、この演算出力Ｓ２を入力とし比較制御部１８の送信制御情報Ｓ６により制御されて送信増幅部５の利得の補正を行う利得補正部３と、この利得補正部の出力を入力とするＤ／Ａ変換部４と、このＤ／Ａ変換出力を入力とする送信増幅部５と、この送信増幅部５の分波出力である帰還アナログ信号Ｓ３を検波する検波部１４と、この検波出力をデシタル変換するＡ／Ｄ変換部１６と、このデシタル変換出力である帰還デジタル信号Ｓ８と演算部２の演算出力Ｓ２とを比較する比較制御部１８とを含んでいる。
【００１８】
送信増幅部５は、Ｄ／Ａ変換部４によるアナログ信号が入力された周波数変換部６と、この周波数変換出力を入力とするＢＰＦ７と、このＢＰＦ出力を入力とする増幅部９と、増幅した送信アナログ信号を帰還アナログ信号Ｓ３とアンテナ供給信号とに分配する分配部１０とを有している。
【００１９】
図２は図１における比較制御部１８の具体例のブロック図である。入力される送信デジタル信号Ｓ２を蓄積する遅延部１８１と、遅延部１８１からの送信デジタル信号Ｓ２を任意の一定時間蓄積し平均化した平均送信電力データＳ３１を出力する平均処理部１８２と、入力される帰還デジタル信号Ｓ８を任意の一定時間蓄積し平均化した平均送信電力データＳ３２を出力する平均処理部１８３と、遅延部１８１で遅延させることによりタイミングの同期を図った平均送信電力データＳ３１と平均送信電力データＳ３２との比較を行う比較器１８４と、比較器１８４から出力される送信利得情報Ｓ３３が入力され、送信基準利得情報メモリ部１８７に予め送信増幅部５個別に設定された送信基準利得情報Ｓ３５との差分である送信制御情報Ｓ６を算出し出力する演算器１８５とから、比較制御部１８は構成されている。
【００２０】
以下に、図１及び図２に示した本発明の実施例の動作について説明する。所望の送信アナログ出力に最適化されたデジタル信号生成部に対して、その振幅が小さく変更された送信デジタル信号の場合、デジタル信号生成部１より出力される送信デジタル信号Ｓ１は、演算部２で予め記憶された、この送信デジタル信号Ｓ１に対する振幅値の補正情報が、演算部２で加算されて、送信デジタル信号Ｓ２として出力される。
【００２１】
この送信デジタル信号Ｓ２は、利得補正部３で送信増幅部５の利得変化の補正が行われ、Ｄ／Ａ変換部４及び送信増幅部５を介して図示せぬアンテナへ出力される。分配部１０で分配された帰還アナログ信号Ｓ３は、検波部１４及びＡ／Ｄ変換部１６を経て、帰還デジタル信号Ｓ８として、比較制御部１８に入力される。この比較制御部１８では、送信増幅部５の利得補正値を算出し、利得補正部３にて、送信デジタル出力Ｓ２の振幅値に補正値が加算されることになる。
【００２２】
送信デジタル信号Ｓ２と帰還デジタル信号Ｓ８とは、共に比較制御部１８に入力され、送信デジタル信号Ｓ２は、遅延部１８１で蓄積されて平均処理部１８２から平均送信電力データＳ３１として出力される。同様に、入力された帰還デジタル信号Ｓ８は、平均処理部１８３から平均送信電力データＳ３２として出力される。比較器１８４には、平均送信電力データＳ３１及び平均送信電力データＳ３２が入力される。
【００２３】
平均送信電力データＳ３１は、遅延部１８１により、演算部２から出力されて帰還されるまでの遅延量の補正がなされ、平均送信電力データＳ３２の入力とタイミングの同期が図られる。平均送信電力データＳ３１と平均送信電力データＳ３２とのデジタル信号の振幅は、一定の基準に従って送信電力レベルに変換され、比較器１８４により比較されて送信利得情報Ｓ３３が出力される。演算器１８５では、送信利得情報Ｓ３３と送信基準利得メモリ部１８７に予め送信増幅部５個別に設定されている送信基準利得情報Ｓ３５とが比較され、利得差分を補正した送信制御情報Ｓ６が利得補正部３に出力される。
【００２４】
このように、所望の送信アナログ出力に最適化されたデジタル信号生成部に対して、その振幅が小さく変更された送信デジタル信号の場合、先ず、演算部２において、予め記憶されている送信デジタル信号Ｓ１の振幅の差分を加算して粗調整を行っておくことにより、所望の送信送信アナログ出力を得る送信デジタル信号Ｓ１に対する送信デジタル信号Ｓ２の振幅差分を少なくしておく。
【００２５】
そして、次に、比較制御部１８によるＡＬＣ機能によって、送信デジタル信号Ｓ２の振幅値補正を行って微調整を行うことにより、図３に示すようにな特性が可能となり、ＡＬＣの制御が高速化できる。たとえ、ＡＬＣ制御が、前述した如く、段階的であっても、ＡＬＣの前段階の粗調整によりその補正幅は少なくなっているので、ＡＬＣが段階的に行う利得制御時間を大幅に短縮することができるのである。
【００２６】
また、ＡＬＣ機能を、送信デジタル信号の振幅値を補正することにより実現しているので、ＡＬＣ機能のためのアナログ部品を削減することができる。
【００２７】
なお、上記実施例では、所望の送信アナログ出力に最適化されたデジタル信号生成部に対して、その振幅が小さく変更された送信デジタル信号の場合について述べているが、逆に、所望の送信アナログ出力に最適化されたデジタル信号生成部に対して、その振幅が大きく変更された送信デジタル信号の場合には、デジタル信号生成部１より出力される送信デジタル信号Ｓ１は、演算部２で予め記憶された、この送信デジタル信号Ｓ１に対する振幅値の補正情報が、演算部２で減算されて、送信デジタル信号Ｓ２が出力されることは明らかである。
【図面の簡単な説明】
【００２８】
【図１】本発明の実施例の機能ブロック図である。
【図２】図１の比較制御部１８の具体例を示すブロック図である。
【図３】本発明の効果を示す図である。
【図４】従来技術を示す機能ブロック図である。
【図５】従来技術の特性を説明するための図である。
【符号の説明】
【００２９】
１  デジタル信号生成部
２  演算部
３  利得補正部
４  Ｄ／Ａ変換部
５  送信増幅部
６  周波数変換部
７  ＢＰＦ
９  増幅部
１０  分配部
１４  検波部
１６  Ａ／Ｄ変換部
１８  比較制御部
１８１  遅延部
１８２，１８３  平均処理部
１８４  比較器
１８５  演算器
１８７  送信基準利得メモリ部
【図１】
2008187550.tif 000003
【図２】
2008187550.tif 000004
【図３】
2008187550.tif 000005
【図４】
2008187550.tif 000006
【図５】
2008187550.tif 000007